(57)【要約】【課題】全長の増大化を抑えることができる色分解光学系とこれを有する光学機器を提供すること。【解決手段】物体の実像を形成する撮影光学系ＺＬと、前記撮影光学系ＺＬからの光束を色分解する為の色分解光学素子Ｐ２とを有し、前記色分解光学素子Ｐ２は、前記光束を透過光と反射光に分割する少なくとも１つの反射面を有し、前記反射面は前記光束を１回反射する色分解光学系２とこれを有する光学機器１。【選択図】図２
2008008983.tif 000002
【特許請求の範囲】
【請求項１】
物体の実像を形成する撮影光学系と、
前記撮影光学系からの光束を色分解する為の色分解光学素子とを有し、
前記色分解光学素子は、前記光束を透過光と反射光に分割する少なくとも１つの反射面を有し、
前記反射面は、前記光束を１回反射することを特徴とする色分解光学系。
【請求項２】
前記反射面は、前記撮影光学系の光軸に対して略４５度傾斜していることを特徴とする請求項１に記載の色分解光学系。
【請求項３】
前記色分解光学素子は、前記反射面を２つ有することをことを特徴とする請求項１または２に記載の色分解光学系。
【請求項４】
前記２つの反射面は、交差していることを特徴とする請求項１から３のいずれか１項
に記載の色分解光学系。
【請求項５】
前記色分解光学素子は、複数の光学要素からなり、
前記複数の光学要素が接合されていることを特徴とする請求項１から５のいずれか１項に記載の色分解光学系。
【請求項６】
請求項１から５のいずれか１項に記載の色分解光学系を有することを特徴とする光学機器。
【請求項７】
物体の実像を形成する撮像光学系からの光束を少なくとも１つの反射面で１回反射させて透過光と反射光とに分割して前記光束を色分解することを特徴とする色分解方法。
【発明の詳細な説明】
【技術分野】
【０００１】
本発明は、撮影光学系を含む色分解光学系とこれを有する光学機器に関する。
【背景技術】
【０００２】
従来、カラーテレビカメラやデジタルビデオカメラ等では、撮像レンズと撮像手段（例えば撮像管や固体撮像素子）との間に色分解光学系が用いられている。該色分解光学系は、主に所定形状の多層膜を一面に設けた３個乃至４個のプリズムを一体的に組み合わせて構成したプリズムブロックから成っている。そして、撮像レンズから入射した光束を、各プリズムの反射面を介して複数の波長帯域の色成分別に分解して複数の所定の撮像素子へ導くように構成している（例えば、特許文献１参照）。
【特許文献１】特開２００５―２０８２５６号公報
【発明の開示】
【発明が解決しようとする課題】
【０００３】
しかしながら、特許文献１の開示例では、撮影レンズからの光束を色分解する際に、各色の光路長を揃えなければならない為、前記色分解光学素子内で反射しない光線の射出面は入射面に対して離れた位置になってしまう為、色分解光学素子が大型化してしまい撮影光学系の全長が増大化すると言う問題がある。
【０００４】
本発明は、上記問題に鑑みてなされたものであり、全長の増大化を抑えることができる色分解光学系とこれを有する光学機器を提供する。
【課題を解決するための手段】
【０００５】
上記課題を解決するために、本発明は、物体の実像を形成する撮影光学系と、前記撮影光学系からの光束を色分解する為の色分解光学素子とを有し、前記色分解光学素子は、前記光束を透過光と反射光に分割する少なくとも１つの反射面を有し、前記反射面は、前記光束を１回反射することを特徴とする色分解光学系を提供する。
【０００６】
また、本発明は、前記色分解光学系を有することを特徴とする光学機器を提供する。
【０００７】
また、本発明は、物体の実像を形成する撮像光学系からの光束を少なくとも１つの反射面で１回反射させて透過光と反射光とに分割して前記光束を色分解することを特徴とする色分解方法を提供する。
【発明の効果】
【０００８】
本発明によれば、全長の増大化を抑えることができる色分解光学系とこれを有する光学機器を提供することができる。
【発明を実施するための最良の形態】
【０００９】
以下、本発明の実施の形態に関し説明する。
【００１０】
図１は、後述する本実施の形態にかかる色分解光学系を搭載する電子スチルカメラを示し、（ａ）は正面図を、（ｂ）は背面図をそれぞれ示す。図２は、図１（ａ）のＡ−Ａ’線に沿った断面図であり、後述する本実施の形態にかかる色分解光学系の配置の概要を示している。
【００１１】
図１、図２において、本実施の形態にかかる電子スチルカメラ１は、不図示の電源釦を押すと撮影レンズ２の不図示のシャッタが開放され撮影レンズ２で不図示の被写体からの光が集光され、色分解光学素子Ｐ２で色分解されて像面Ｉに配置された撮像素子ＣＲ、ＣＧ、ＣＢにそれぞれ結像される。撮像装置ＣＲ、ＣＧ、ＣＢにそれぞれ結像された被写体像は、不図示の画像処理装置を介して電子スチルカメラ１の背後に配置された液晶モニター３にカラー表示される。撮影者は、液晶モニター３を見ながら被写体象の構図を決めた後、レリーズ釦４を押し下げ被写体像を撮像素子ＣＲ、ＣＧ、ＣＢで撮影し、不図示のメモリーにカラー画像を記録保存する。
【００１２】
撮影レンズ２は、後述する本実施の形態にかかる色分解光学素子Ｐ２を有するズームレンズＺＬで構成されており、電子スチルカメラ１の正面から入射した光は、後述するズームレンズＺＬ内のプリズムＰ１で略９０度下方（図２の紙面下方）に偏向されるため、電子スチルカメラ１を薄型化することが可能になる。
【００１３】
また、色分解光学素子Ｐ２は、これに入射した光をプリズムＰ１に入射する光の光軸Ｉ１とプリズムＰ１を射出する光の光軸Ｉ２とを含む平面に、色分解した光の光軸を有するように構成されている。
【００１４】
また、電子スチルカメラ１には、被写体が暗い場合に補助光を発光する補助光発光部５、撮影レンズ２であるズームレンズＺＬを広角端状態（Ｗ）から望遠端状態（Ｔ）にズーミングする際のワイド（Ｗ）ーテレ（Ｔ）釦６、および電子スチルカメラ１の種々の条件設定等に使用するファンクション釦７等が配置されている。
【００１５】
このようにして、後述する本実施の形態にかかる色分解光学系を内蔵する電子スチルカメラ１が構成されている。
【００１６】
次に、本実施の形態にかかる色分解光学系に関し説明する。
【００１７】
本実施の形態にかかる色分解光学系は、物体の実像を形成する撮影光学系と、前記撮影光学系からの光束を色分解する為の色分解光学素子とを有し、前記色分解光学素子は、前記光束を透過光と反射光に分割する少なくとも１つの反射面を有し、前記反射面は、前記光束を１回反射する構成である。
【００１８】
このような構成にすることにより、色分解光学素子内の光路長を短くすることが可能となり、色分解光学系全体としての大きさを小さくすることが可能となる。また小型化することにより、色分解光学素子自体の重さも軽くなり装置全体の軽量化が可能となる。また従来よりも簡易な方法により保持することが可能となり、衝撃等に対応した構造をとり易くなる。また、色分解光学系のバックフォーカスを短くできるので、色分解光学系全体の結像性能を向上させることができる。
【００１９】
また、本実施の形態にかかる色分解光学系では、前記反射面は、前記撮影光学系の光軸に対して略４５度傾斜していることが望ましい。このように、色分解光学素子の反射面を撮影光学系の光軸に対して略４５傾けることにより、色分解光学素子内の光路長を短くすることが可能となる。色分解光学素子を構成する光学要素の各面に施したダイクロイック膜の特性保持も容易となる。
【００２０】
また、本実施の形態にかかる色分解光学系では、前記色分解光学素子は、前記反射面を２つ有することが望ましい。これにより、色分解光学素子に入射する撮影光学系からの光線を３色に分解することが可能となる。
【００２１】
また、本実施の形態にかかる色分解光学系では、前記色分解光学素子は、複数の光学要素からなり、前記複数の光学要素が接合されていることが望ましい。これにより色分解光学素子は１つの部材として扱うことが可能となり、光軸に対して精度よく配置することが可能となる。また従来よりも簡易な方法により保持することが可能となり、衝撃等に対応した構造をとり易くなる。
【００２２】
また、本実施の形態にかかる色分解光学系では、物体の実像を形成する撮像光学系からの光束を少なくとも１つの反射面で１回反射させて透過光と反射光とに分割して前記光束を色分解する色分解方法が望ましい。これにより従来よりも簡易な方法により色分解を行うことが可能となる。
【００２３】
なお、色分解光学素子の各色光が射出される面の近傍に配置される各色の固体撮像素子のうち、少なくとも１つの固体撮像素子が、基準となる固体撮像素子に対して、固体撮像素子に入射する光軸に対して垂直方向あるいは水平方向にシフトして取り付けられていることが望ましい。垂直方向にシフトして取り付けることにより倍率色収差の補正が可能になる。また、画素補間の際に演算が容易に行うことができる。また、水平方向にシフトして取り付けることにより軸上色収差をキャンセルすることができる。
【００２４】
なお、色分解光学素子の各色光が射出される面の近傍に配置される各色の固体撮像素子のうち、少なくとも１つの固体撮像素子が、基準となる固体撮像素子に対して、固体撮像素子に入射する光軸に対して垂直方向及び水平方向にシフトして取り付けられていることが望ましい。垂直方向にシフトして取り付けることにより倍率色収差の補正が可能になる。また、画素補間の際に演算が容易に行うことができる。また、水平方向にシフトして取り付けることにより軸上色収差をキャンセルすることができる。
【００２５】
（実施例）
以下、本実施の形態にかかる色分解光学系の各実施例を添付図面に基づいて説明する。
【００２６】
（第１実施例）
図３は、第１実施例にかかる色分解光学系のレンズ構成図を示す。なお、本第１実施例にかかる色分解光学系は、図２に示すように光路を９０度偏向するものであるが、構成図ではこれを展開して示している。
【００２７】
図３において、本第１実施例にかかる色分解光学系は、光軸に沿って物体側から順に、負の屈折力を持つ第１レンズ群Ｇ１と、正の屈折力を持つ第２レンズ群Ｇ２と、正の屈折力を持つ第３レンズ群Ｇ３、正の屈折力を持つ第４レンズ群Ｇ４とを有するズームレンズＺＬと、ズームレンズＺＬの光束からを色分解するための色分解光学素子Ｐ２を有し、広角端状態Ｗから望遠端状態Ｔへのズーミングに際して、最も物体側の第１レンズ群Ｇ1は常に固定され、第２レンズ群Ｇ２は物体側へ移動し、第３レンズ群Ｇ３は一旦像面Ｉ側に移動したのち物体側に移動するように構成されている。
【００２８】
第１レンズ群Ｇ１は、光軸に沿って物体側から順に、物体側に凸面を向けた負メニスカスレンズＬ１１と、光路を９０度折り曲げるための直角プリズムＰ１と、両凹形状の負レンズＬ１２と両凸形状の正レンズＬ１３との接合レンズから構成されている。
【００２９】
第２レンズ群Ｇ２は、光軸に沿って物体側から順に、両凸形状の正レンズＬ２１と、両凸形状の正レンズＬ２２と両凹形状の負レンズＬ２３との接合レンズと、両凸形状の正レンズＬ２４から構成されている。
【００３０】
開口絞りＳは、第２レンズ群Ｇ２の最も物体側のレンズＬ２１の近傍に配置され、広角端状態Ｗから望遠端状態Ｔへのズーミングに際して第２レンズ群Ｇ２と一緒に移動する。
【００３１】
第３レンズ群Ｇ３は、光軸に沿って物体側から順に、物体側に凸面を向けた正メニスカスレンズＬ３１と、物体側に凸面を向けた負メニスカスレンズＬ３２から構成されている。
【００３２】
第４レンズ群Ｇ４は、物体側に凸面を向けた負メニスカスレンズＬ４１と、両凸形状の正レンズＬ４２から構成されている。
【００３３】
第４レンズ群Ｇ４と像面Iとの間に、ズームレンズＺＬからの光束を色分解するための色分解光学素子Ｐ２が配設されている。
【００３４】
色分解光学素子Ｐ２は、図５に示すように、第１プリズム１３、第２プリズム１４、第３プリズム１５及び第４プリズム１６から構成されている。
【００３５】
第１プリズム１３は、入射面１３ａ、第１反射面１３ｂ１、第２反射面１３ｂ２を有し、第２プリズム１４は、入射面１４ａ１、反射面１４ａ２、射出面１４ｃを有し、第３プリズム１５は、入射面１５ａ１、反射面１５ａ２、射出面１５ｃを有し、第４プリズム１６は、入射面１６ａ１、反射面１６ａ２、射出面１６ｃを有している。
【００３６】
第１プリズム１３と第２プリズム１４は、第１プリズム１３の第２反射面１３ｂ２と第２プリズム１４の入射面１４ａ１で接合され、第１プリズム１３と第３プリズム１５は、第１プリズム１３の第１反射面１３ｂ１と第３プリズム１５の入射面１５ａ１で接合され、第２プリズム１４と第４プリズム１６は、第２プリズム１４の反射面１４ａ２と第４プリズム１６の入射面１６ａ２で接合され、第３プリズム１５と第４プリズム１６は、第３プリズム１５の反射面１５ａ２と第４プリズム１６の入射面１６ａ１で接合されて構成されている。
【００３７】
ズームレンズＺＬからの光束は、第１プリズム１３の入射面１３ａから入射しダイクロイック膜を施された第１反射面１３ｂ１と第２プリズム１４のダイクロイック膜を施された反射面１４ａ２とで所定の波長域の緑色光（Ｇ光）が反射されて射出面１４ｃから射出される。また第１プリズム１３のダイクロイック膜を施された第２反射面１３ｂ２と第３プリズム１５のダイクロイック膜を施された反射面１５ａ２とで所定の波長領域の青色光（Ｂ光）が反射されて射出面１５ｃから射出される。そしてズームレンズからの光束のうち射出面１４ｃ射出面１５ｃから射出されたＧ光、Ｂ光以外の赤色光（Ｒ光）は、第４プリズム１６の射出面１６ｃから射出される。それぞれの射出面から射出されたＲＧＢ光は、図２に示すように、像面Ｉに配置されたそれぞれの撮像素子ＣＲ、ＣＧ、ＣＢにより撮像され、不図示の画像処理手段で処理された後カラー画像として液晶モニター３に表示される。
【００３８】
なお、色分解光学素子Ｐ２において、第１反射面１３ｂ１と反射面１４ａ２、第２反射面１３ｂ２と反射面１５ａ２は、それぞれ同一平面となるように構成されている。
【００３９】
以下の表１に、本第１実施例にかかる色分解光学系の諸元の値を示す。表１において、[全体諸元]中、ｆは焦点距離、Ｂｆはバックフォーカス、ＦＮｏはＦナンバー、ωは半画角（単位：度）をそれぞれ表わしている。[レンズ諸元]中、面番号は物体側からのレンズ面の番号、ｒはレンズ面の曲率半径、ｄはレンズ面間隔、νはｄ線（λ＝５８７．５６ｎｍ）に対するアッベ数、ｎはｄ線（λ＝５８７．５６ｎｍ）に対する屈折率をそれぞれ表わしている。なお、「ｒ＝∞」は平面または開口を示し、空気の屈折率1.000000は記載を省略している。［非球面データ］には、次式で非球面を表現した場合の非球面係数を示している。
Ｘ（ｙ）＝ｙ２／[ｒ×{１＋（１−ｋ×ｙ２／ｒ２）１／２}]
＋Ｃ４×ｙ４ ＋Ｃ６×ｙ６ ＋Ｃ８×ｙ８ ＋Ｃ１０×ｙ１０ 
ここで、Ｘ（ｙ）は非球面の頂点における接平面から高さｙにおける非球面上の位置までの光軸方向に沿った距離、ｒは基準球面の曲率半径（近軸曲率半径）、ｋは円錐定数、Ｃｉは第ｉ次の非球面係数をそれぞれ示している。また、「E-ｎ」（ｎ：整数）は「10−ｎ」を示している。[ズーミングデータ]には、広角端状態、中間焦点距離状態、望遠端状態の各状態における焦点距離ｆ、可変間隔の値を示す。
【００４０】
なお、以下の全ての諸元値において、掲載されている焦点距離ｆ、曲率半径ｒ、面間隔ｄ、その他の長さ等は、特記の無い場合一般に「ｍｍ」が使われるが、光学系は比例拡大または比例縮小しても同等の光学系脳が得られるので、これに限られるものではない。また、単位は「ｍｍ」に限定されること無く他の適当な単位を用いることもできる。なお、以下の全実施例において、本実施例と同様の符号を用い以降の説明を省略する。
【００４１】
（表１）
[全体諸元]
ｆ＝5.94310〜10.00000〜16.83600
Ｂｆ＝0.49996
ＦＮｏ＝2.76652〜3.69688〜5.04951
ω＝33.99692〜20.46870〜12.29204
[レンズ諸元]
面番号    ｒ       ｄ     ν     ｎ
1)   19.8655   0.8000 40.76 1.883000
2)    5.9913   1.6500       
3)    ∞       7.5000 40.76 1.883000
4)    ∞       0.3000       
5)  -19.9191   0.8000 40.76 1.883000
6)  103.9857   1.8000 24.06 1.821140    
7)  -17.2723   (D1)                   （非球面）
8>    ∞       0.0000                 （開口絞りＳ）
9)    7.7573   1.8000 61.18 1.589130  （非球面）
10)  -24.4001   0.3000       
11)   11.9274   2.0000 81.61 1.497000
12)  -11.8345   1.3000 36.26 1.620040
13)    5.4549   0.8000       
14)13182.8040   0.8000 33.05 1.666800
15)  -34.9179   (D2)
16)   10.1426   1.4000 81.61 1.497000
17)   33.3458   0.4000       
18)    8.8390   1.3000 25.43 1.805180
19)    6.4916   (D3)
20)   16.9438   0.8000 42.71 1.834807
21)    9.2712   1.0000       
22)   19.3953   1.3000 52.64 1.740999
23)  -17.4858   0.3000                 （非球面）
24)    ∞       4.8000 64.14 1.516330
25)    ∞       (Bf)
[非球面データ]
7面
ｋ＝ -17.1615
C4＝  -5.66010E-04  
C6＝   9.09570E-06
C8＝  -1.81010E-07  
C10＝  0.00000E+00
9面
ｋ＝  -0.6161  
C4＝   1.37280E-04  
C6＝   0.00000E+00
C8＝   0.00000E+00  
C10＝  0.00000E+00
18面
ｋ＝   6.3457  
C4＝  -1.10740E-04
C6＝  -1.63630E-06  
C8＝   0.00000E+00  
C10＝  0.00000E+00
[ズーミングデータ]
広角端状態  中間焦点距離状態  望遠端状態
ｆ   5.94310      10.00000       16.83600
D1   13.57700       6.25063        0.80003
D2    1.15868       6.98070        1.15868
D3    3.05160       4.55595       15.82855
[条件式対応値]
（１）  Pｄ／Sｄ  ＝  １．５６２５
（２）  ｎｄ１    ＝  １．８８３０００
（３）  ｎｄ２    ＝  １．５１６３３０
【００４２】
図４は、本第１実施例にかかる色分解光学系の無限遠合焦状態における諸収差図であり、（ａ）は広角端状態での諸収差図を、（ｂ）は中間焦点距離状態での諸収差図を、（ｃ）は望遠端状態での諸収差図をそれぞれ示す。各収差図において、ＦNOはＦナンバー、Ａは半画角（単位：度）、ｄはｄ線（λ=587.6nm）及びｇはｇ線（λ=435.6nm）、CはC線（λ=656.3nm）、FはF線（λ=486.1nm）を示す。非点収差図において、実線はサジタル像面を、破線はメリジオナル像面をそれぞれ示す。また、これらの記号の説明は、他の実施例においても同様とし以降の説明を省略する。
【００４３】
各収差図から、本第１実施例にかかる色分解光学系は、諸収差が良好に補正され、優れた結像性能を有していることが明らかである。
【００４４】
（第２実施例）
図６は、第２実施例にかかる色分解光学系のレンズ構成図を示す。なお、本第２実施例にかかる色分解光学は、図２に示すように光路を９０度偏向するものであるが、構成図ではこれを展開して示している。
【００４５】
図６において、本第２実施例にかかる色分解光学系は、光軸に沿って物体側から順に、負の屈折力を持つ第１レンズ群Ｇ１と、正の屈折力を持つ第２レンズ群Ｇ２と、正の屈折力を持つ第３レンズ群Ｇ３、正の屈折力を持つ第４レンズ群Ｇ４とを有するズームレンズＺＬと、ズームレンズＺＬの光束からを色分解するための色分解光学素子Ｐ３を有し、広角端状態Ｗから望遠端状態Ｔへのズーミングに際して、最も物体側の第１レンズ群Ｇ1は常に固定され、第２レンズ群Ｇ２は物体側へ移動し、第３レンズ群Ｇ３は一旦像面Ｉ側に移動したのち物体側に移動する構成である。
【００４６】
第１レンズ群Ｇ１は、光軸に沿って物体側から順に、物体側に凸面を向けた負メニスカスレンズＬ１１と、光路を９０度折り曲げるための直角プリズムＰ１と、両凹形状の負レンズＬ１２と両凸形状の正レンズＬ１３との接合レンズから構成されている。
【００４７】
第２レンズ群Ｇ２は、光軸に沿って物体側から順に、両凸形状の正レンズＬ２１と、両凸形状の正レンズＬ２２と両凹形状の負レンズＬ２３との接合レンズと、両凸形状の正レンズＬ２４から構成されている。
【００４８】
開口絞りＳは、第２レンズ群Ｇ２の最も物体側のレンズＬ２１の近傍に配置され、広角端状態Ｗから望遠端状態Ｔへのズーミングに際して第２レンズ群Ｇ２と一緒に移動する。
【００４９】
第３レンズ群Ｇ３は、光軸に沿って物体側から順に、物体側に凸面を向けた正メニスカスレンズＬ３１と、物体側に凸面を向けた負メニスカスレンズＬ３２から構成されている。
【００５０】
第４レンズ群Ｇ４は、物体側に凸面を向けた負メニスカスレンズＬ４１と、両凸形状の正レンズＬ４２から構成されている。
【００５１】
第４レンズ群Ｇ４と像面Iとの間に、ズームレンズＺＬからの光束を色分解するための色分解光学素子Ｐ３が配設されている。
【００５２】
色分解光学素子Ｐ３は、図８に示すように、第１プリズム１１と第２プリズム１２から構成され、１１ａは第１プリズム１１の入射面、１１ｃは第１プリズム１１の射出面、１２ａは第２プリズム２の入射面、１２ｃは第２プリズム１２の射出面であり、第１プリズム１１と第２プリズム１２は、第１プリズム１１の反射面１１ｂと第２プリズム１２の入射面１２ａで接合されている。ズームレンズＺＬからの光束は、第１プリズム１１のダイクロイック膜を施された反射面１１ｂで所定の波長域の色光Ｇ、Ｂ（緑色、青色）が反射、分岐され、第１プリズム１１の射出面１１ｃより射出される。そして第１プリズムの射出面１１ｃより射出されたＧ、Ｂ以外の色光Ｒ（赤色）は、第２プリズム１２の射出面１２ｃより射出される。Ｒ光は、不図示のＲ光の撮像素子で、Ｇ，Ｂ光は、不図示のＧ，Ｂ光の撮像素子でそれぞれ撮像され、不図示の画像処理手段で処理されて液晶モニター３に表示される。
【００５３】
以下の表２に、本第２実施例にかかる色分解光学系の諸元の値を示す。
【００５４】
(表２)
[全体諸元]
ｆ＝5.94310〜10.00000〜16.83600
Ｂｆ＝0.49996
ＦＮｏ＝2.76652〜3.69688〜5.04951
ω＝33.99692〜20.46870〜12.29204
[レンズ諸元]
面番号    ｒ       ｄ     ν     ｎ
1)   20.8394   0.8000 40.76 1.883000
2)    6.0326   1.6500       
3)    ∞       7.5000 40.76 1.883000
4)    ∞       0.3000       
5)  -20.4209   0.8000 40.76 1.883000
6)  102.4783   1.8000 24.06 1.821140    
7)  -17.3732   (D1)                   （非球面）
8>    ∞       0.0000                 （開口絞りＳ）
9)    7.5270   1.8000 61.18 1.589130  （非球面）
10)  -24.5007   0.3000       
11)   12.6685   2.0000 81.61 1.497000
12)  -11.2776   1.3000 36.26 1.620040
13)    5.3954   0.8000       
14)  108.7562   0.8000 33.05 1.666800
15)  -46.0704   (D2)         
16)   10.1233   1.4000 81.61 1.497000
17)   33.0205   0.4000       
18)    8.8537   1.3000 25.43 1.805180
19)    6.5041   (D3)      
21)   16.7199   0.8000 42.71 1.834807
22)    9.3231   1.0000                 （非球面）
23)   21.0666   1.3000 52.64 1.740999
24)  -16.7256   0.3000       
25)    ∞       4.8000 64.14 1.516330
26)    ∞       (Bf)         
[非球面データ]
7面
ｋ＝  -18.5607
C4＝   -5.91570E-04  
C6＝    1.09470E-05
C8＝   -2.43470E-07  
C10＝  0.00000E+00
9面
ｋ＝  -0.5829  
C4＝   1.51220E-04  
C6＝   0.00000E+00
C8＝   0.00000E+00
C10＝  0.00000E+00
22面
ｋ＝   9.9147  
C4＝  -1.43740E-04
C6＝  -2.70260E-06  
C8＝   0.00000E+00
C10＝  0.00000E+00
[ズーミングデータ]
広角端状態  中間焦点距離状態  望遠端状態
f     5.94310      10.00000       16.83600
D1    13.57694       6.25057        0.79997
D2     1.10475       6.92677        1.10475
D3     3.05358       4.55793       15.83053
[条件式対応値]
（１）  Pｄ／Sｄ  ＝  １．５６２５
（２）  ｎｄ１    ＝  １．８８３０００
（３）  ｎｄ２    ＝  １．５１６３３０
【００５５】
図７は、本第２実施例にかかる色分解光学系の無限遠合焦状態における諸収差図であり、（ａ）は広角端状態での諸収差図を、（ｂ）は中間焦点距離状態での諸収差図を、（ｃ）は望遠端状態での諸収差図をそれぞれ示す。
【００５６】
各収差図から、本第２実施例にかかる色分解光学系は、諸収差が良好に補正され、優れた結像性能を有していることが明らかである。
【００５７】
なお、以下に記載の内容は、光学性能を損なわない範囲で適宜採用可能である。
【００５８】
上記実施例では、４群構成を示したが、５群等の他の群構成にも適用可能である。また。ズームレンズに限らず固定焦点レンズにも適用可能である。
【００５９】
また、単独または複数のレンズ群、または部分レンズ評を光軸方向に移動させて、無限遠物体から近距離物体への合焦を行う合焦レンズ群としても良い。また、前記合焦レンズ群はオートフォーカスにも適用出来、オートフォーカス用の(超音波モーター等の)モーター駆動にも適している。特に第２レンズ群及び／又は第３レンズ群を合焦レンズ群とするのが好ましい。
また、レンズ群または部分レンズ群を光軸に垂直な方向に振動させて、手ぶれによって生じる像ぶれを補正する防振レンズ群としても良い。特に第２レンズ群及び／又は第３レンズ群を防振レンズ群とするのが好ましい。
【００６０】
また、レンズ面を非球面としても構わない。また、研削加工による非球面、ガラスを型で非球面形状に形成したガラスモールド非球面、ガラスの表面に樹脂を非球面形状に形成した複合型非球面のいずれの非球面でも構わない。
【００６１】
また、各レンズ面には、広い波長城で高い透過率を有する反射防止膜が施され、フレアやゴーストを軽減し高いコントラストの高い光学性能を達成できる。
【００６２】
以上説明したように、本発明によれば撮影光学系からの光束を色分解するための色分解光学素子を有する色分解光学系を提供することができ、またこの色分解光学系を有するビデオカメラや電子スチルカメラ等の光学機器を提供することができる。
【００６３】
なお、上述の実施の形態は例に過ぎず、上述の構成や形状に限定されるものではなく、本発明の範囲内において適宜修正、変更が可能である。
【図面の簡単な説明】
【００６４】
【図１】本実施の形態にかかる色分解光学系を搭載する光学装置である電子スチルカメラを示し、（ａ）は正面図を、（ｂ）は背面図をそれぞれ示す。
【図２】図１（ａ）のＡ−Ａ’線に沿った断面図であり、本実施の形態にかかる色分解光学系の配置の概要を示している。
【図３】第１実施例にかかる色分解光学系のレンズ構成図を示す。
【図４】本第１実施例にかかる色分解光学系の無限遠合焦状態における諸収差図であり、（ａ）は広角端状態での諸収差図を、（ｂ）は中間焦点距離状態での諸収差図を、（ｃ）は望遠端状態での諸収差図をそれぞれ示す。
【図５】第１実施例の色分解光学系に用いられる色分解光学素子の概略構成図。
【図６】第２実施例にかかる色分解光学系のレンズ構成図を示す。
【図７】本第２実施例にかかる色分解光学系の無限遠合焦状態における諸収差図であり、（ａ）は広角端状態での諸収差図を、（ｂ）は中間焦点距離状態での諸収差図を、（ｃ）は望遠端状態での諸収差図をそれぞれ示す。
【図８】第２実施例の色分解光学系に用いられる色分解光学素子の概略構成図。
【符号の説明】
【００６５】
１    電子スチルカメラ（光学機器）
２    撮影レンズ
３    液晶モニター
４    レリーズ釦
５    補助光発光部
６    ワイドーテレ釦
７    ファンクション釦
１１、１３  第１プリズム
１２、１４  第２プリズム
１５        第３プリズム
１６        第４プリズム
ＣＲ，ＣＧ，ＣＢ    撮像素子
ＺＬ    ズームレンズ
Ｇ１    第１レンズ群
Ｇ２    第２レンズ群
Ｇ３    第３レンズ群
Ｇ４    第４レンズ群
Ｐ１    光路折り曲げ光学素子
Ｐ２、Ｐ３    色分解用光学素子
Ｓ    開口絞り
Ｉ    像面
【図１】
2008008983.tif 000003
【図２】
2008008983.tif 000004
【図３】
2008008983.tif 000005
【図４】
2008008983.tif 000006
【図５】
2008008983.tif 000007
【図６】
2008008983.tif 000008
【図７】
2008008983.tif 000009
【図８】
2008008983.tif 000010